(57)【特許請求の範囲】
【請求項１】
同側前後を連結する上方水平杆上に座板を架設し、かつ左右両後脚の間隔を前脚または上方水平杆の左右幅より若干幅広とした積み重ね椅子において、
左右両後脚の上方所定箇所の前後いずれか、或いは前後両方に少なくとも一部突出する緩衝部が形成され、少なくとも積み重ねられた椅子の背板同士が前記緩衝片により所定距離離間されるようになっていることを特徴とする積み重ね椅子。
【請求項２】
背板の左右両下部に一体に形成された取付部に両後脚が嵌入される構造であり、前記取付部が少なくとも一部突出する緩衝部である請求項１に記載の積み重ね椅子。
【請求項３】
前記緩衝部として、後脚の所定高さに緩衝片が固着されてなる請求項１に記載の積み重ね椅子。
【請求項４】
前記緩衝部には、背板の左右両側下部の前後面に方向の異なる突条が設けられている請求項２に記載の積み重ね椅子。
【請求項５】
前記緩衝部には、背板の左右両側下部の前後面の突条の内、前面側の突条が後面側の突条より上下方向に長く設けられている請求項２に記載の積み重ね椅子。
【発明の詳細な説明】
【０００１】
【発明の属する技術分野】
本発明は、同側前後の脚を連結する上方水平杆上に座板が架設され、かつ左右両後脚の間隔が前脚または上方水平杆の左右幅より若干幅広になっている積み重ね椅子に関する。
【０００２】
【従来の技術】
従来、この種の積み重ね椅子としては、実公昭５８−４０９１９号公報等が開示されているが、この積み重ね椅子は、積み重ねた時に、上方の椅子の座板の裏側が下方の椅子の座板の表側を圧迫し、座板の被覆材やクッション材を傷めたり、積み重ね状態から通常の使用状態にした時に、下方の椅子の座板の表側に圧迫の跡が残る等の問題があったため、特に図７に示されるように前後の脚０１、０２を連結する上方水平杆０３の下方に緩衝材０４を設けたり、前後の脚を連結する下方水平杆０５に緩衝材０６を設けることにより、椅子を積み重ねた時に下方の椅子の座板０７の表側と上方の椅子の座板０７の裏側とが離間するようにしていた。
【０００３】
【発明が解決しようとする課題】
しかしながら、背板については、床面で椅子を水平状態で積み重ねた場合にはあまり圧迫が加わらないため、背板の表面側の破損や跡付きの問題は起こりにくいが、積み重ねの台数を多くするため、台車等を利用して椅子自体を傾斜させて椅子を積み重ねる場合には、上方の椅子の背板の裏側が下方の椅子の背板の表側を圧迫して、背板の被覆材やクッション材を傷めたり、積み重ね状態から通常の使用状態にした時に、下方の椅子の背板の表面に圧迫の跡が残る等の問題があった。
【０００４】
本発明はこのような問題点に着目してなされたもので、台車等を利用して椅子自体を傾斜させて椅子を積み重ねる場合に、上方の椅子の背板の裏側が下方の椅子の背板の表側を圧迫することがない積み重ね椅子を提供することを目的とするものである。
【０００５】
【課題を解決するための手段】
上記目的を達成するために、本発明の積み重ね椅子は、同側前後を連結する上方水平杆上に座板を架設し、かつ左右両後脚の間隔を前脚または上方水平杆の左右幅より若干幅広とした積み重ね椅子において、
左右両後脚の上方所定箇所の前後いずれか、或いは前後両方に少なくとも一部突出する緩衝部が形成され、少なくとも積み重ねられた椅子の背板同士が前記緩衝片により所定距離離間されるようになっていることを特徴としている。
この特徴によれば、傾斜されて積み重ねられた上下の椅子の背板同士は、後脚に設けられた突条により確実に所定距離離間されるようになっているため、上方の椅子の背板の裏面が下方の椅子の背板の表面を圧迫して、背板の被覆材やクッション材を傷めたり、通常の使用時に背板の表面と圧迫の跡が残るといったことがなくなる。
【０００６】
本発明の積み重ね椅子は、背板の左右両下部に一体に形成された取付部に両後脚が嵌入される構造であり、前記取付部が少なくとも一部突出する緩衝部であることが好ましい。
このようにすることで、突出する部分を背板の左右両側下部に予め一体的に形成しておくことにより、外観を損ねることなく、簡単に緩衝部分を形成できる。
【０００７】
本発明の積み重ね椅子は、前記緩衝部として、後脚の所定高さに緩衝片が固着されてなることが好ましい。
このようにすることで、種々の形状の背板に関係なく、また、既存の椅子にも緩衝部を容易に設けることが可能になる。
【０００８】
本発明の積み重ね椅子は、前記緩衝部には、背板の左右両側下部の前後面に方向の異なる突条が設けられていることが好ましい。
このようにすることで、各突条が干渉し合うことがなくなり、各突条の高さを低く抑えることができるので、外観が向上するだけでなく、使用時に邪魔になることがない。
【０００９】
本発明の積み重ね椅子は、前記緩衝部には、背板の左右両側下部の前後面の突条の内、前面側の突条が後面側の突条より上下方向に長く設けられていることが好ましい。
このようにすることで、積み重ねられた椅子の前後面の突条同士が確実に当接されるようになる。
【００１０】
【発明の実施の形態】
以下、本発明の実施例を図面に基づいて説明していくと、まず図１及び図３には、本発明の第１実施例の椅子１が示されており、２は前脚、３は後脚であり、４は特に図３に示されるように前後両脚を連結する上方水平杆、５は同じく下方水平杆である。これら左右両前脚２、２の間隔と左右両上方水平杆４、４の間隔はいずれも左右両後脚３、３の間隔と左右両下方水平杆５、５との間隔よりも若干幅狭になっている。
【００１１】
座面部６は特に図示しないが、左右両上方水平杆４、４に適宜取付金具をもって架設された座板になっている。
【００１２】
７は合成樹脂製の背板であり、その左右両下部に一体的に形成された取付部８を介して、座面部６の左右後方より上方に突出する後脚３の上端部に嵌合され、接着剤等により固着されている。ここで背板７の表面にはクッション等の被覆材で一部覆うこともできる。尚、本実施例においては上方水平杆４、４の後端は、座面部６の後部において上方に延設されて、後脚３の一部を構成している。
【００１３】
また、下方水平杆５の前後に取付けられた緩衝片９は、椅子１を積み重ねた際に、下方にある椅子１の座面部６の表面が上方にある椅子１の座面部６の裏面に圧迫されないように、互いの下方水平杆５同士を離間させるためのものである。
【００１４】
取付部８の前面には、特に図２（ａ）、（ｂ）に示されるように上下方向を向く帯状の突条１０が複数本突設されており、裏面には図２（ａ）、（ｃ）に示されるように略左右方向を向く帯状の突出部１１が複数本突設されており、これらが緩衝部を構成する。
【００１５】
このように構成された椅子１を多数積み重ねる場合、図３に示されるようなフレームにより構成されるキャスター付きの台車１２を用いて、個々の椅子１を傾斜させた状態で積み重ねられる。この時、上方にある椅子１の下方水平杆５と、下方にある椅子の下方水平杆５とが、緩衝片９を介して互いに所定距離離間されるため、上方の椅子１の座面部６の裏面が、下方の椅子１の座面部６の表面を圧迫することがない。
【００１６】
また、このように椅子１を傾斜させて積み重ねることで、下方にある椅子１の背板７が上方にある椅子１の背板７の荷重方向に位置することになるが、特に図４に示されるように上方の椅子１における背板７の取付部８の裏面の突条１１と、下方の椅子１における背板７の取付部８の表面の突条１０とが当接され、取付部８同士、即ち背板７同士が互いに所定距離離間されるようになっているため、上方の椅子１の背板７の裏面が、下方の椅子１の背板７の表面を圧迫し、該背板７を傷つけること等がない。
【００１７】
次に、図５には本発明の第２実施例が示されている。本実施例においては背板７近傍の左右両後脚３、３には一端が後方に突出する突条としての緩衝片１３が嵌着されており、この緩衝片１３を介して上方の椅子１の背板７と下方の椅子１の背板７とが互いに所定距離離間されるようになっている。
【００１８】
この緩衝片１３は、軟質の合成樹脂等からなり、後端には下方の椅子１の後脚３に当接する凹部１３ａが形成されており、上方の椅子１が下方の椅子１に安定して支持されるようになっている。
【００１９】
この緩衝片１３は、一方の端部が後脚３より前方に突出するように、あるいは両端部が前後方向にそれぞれ突出するように設けられていてもよい。また、この緩衝片１３の取付位置は、後脚３の上方位置であればどの位置に取付られていてもよい。
【００２０】
以上、本発明の実施例を図面により説明してきたが、具体的な構成はこれら実施例に限られるものではなく、本発明の要旨を逸脱しない範囲における変更や追加があっても本発明に含まれる。
【００２１】
例えば、第１実施例における突条１０、１１の形状等は任意であり、程々に変形可能であり、また取付部８の表面、又は裏面のいずれかにのみに他方の取付部８に当接可能に形成されていてもよい。
【００２２】
【発明の効果】
本発明によれば次のような効果が得られる。
【００２３】
（ａ）請求項１の発明によれば、傾斜されて積み重ねられた上下の椅子の背板同士は、後脚に設けられた突条により確実に所定距離離間されるようになっているため、上方の椅子の背板の裏面が下方の椅子の背板の表面を圧迫して、背板の被覆材やクッション材を傷めたり、通常の使用時に背板の表面と圧迫の跡が残るといったことがなくなる。
【００２４】
（ｂ）請求項２の発明によれば、突出する部分を背板の左右両側下部に予め一体的に形成しておくことにより、外観を損ねることなく、簡単に緩衝部分を形成できる。
【００２５】
（ｃ）請求項３の発明によれば、種々の形状の背板に関係なく、また、既存の椅子にも緩衝部を容易に設けることが可能になる。
【００２６】
（ｄ）請求項４の発明によれば、各突条が干渉し合うことがなくなり、各突条の高さを低く抑えることができるので、外観が向上するだけでなく、使用時に邪魔になることがない。
【００２７】
（ｅ）請求項５の発明によれば、積み重ねられた椅子の前後面の突条同士が確実に当接されるようになる。
【００２８】
【図面の簡単な説明】
【図１】本発明の第１実施例を示す図である。
【図２】（ａ）は図１のＩ−Ｉ断面図であり、（ｂ）は図２におけるａの正面図であり、（ｃ）は図２におけるａの背面図である。
【図３】図１の椅子を積み重ねた状態を示す側面図である。
【図４】図３の要部拡大図である。
【図５】本発明の第２実施例を示す要部拡大図である。
【図６】図５のＩＩ−ＩＩ断面図である。
【図７】従来の椅子が積み重ねられた状態を示す側面図である。
【符号の説明】
１        椅子
２        前脚
３        後脚
４        上方水平杆
５        下方水平杆
６        座面部
７        背板
８        取付部
９        緩衝片（緩衝部）
１０        突条（緩衝部）
１１        突条（緩衝部）
１２        台車
１３        緩衝片
１３ａ      凹部
【図１】
0003640449.tif 000002
【図２】
0003640449.tif 000003
【図３】
0003640449.tif 000004
【図４】
0003640449.tif 000005
【図５】
0003640449.tif 000006
【図６】
0003640449.tif 000007
【図７】
0003640449.tif 000008